(57)【要約】【課題】トナーカートリッジ装填構造を支持する支持部材の剛性を高めることができるトナーカートリッジ装填構造及び画像形成装置を得る。【解決手段】把持部１１８を把持した状態で、トナーカートリッジ１１の一端をフロントフレーム部に形成された装填口へ装填させる。トナーカートリッジ１１を装填しようとすると、突起部１２４がガイド溝１２６に案内され、収容部材１１０は周方向に回転してシャッター部材１１４を備える開口部１１２は下方を向いて停止する。このように、収容部材１１０を回転させることで開口部１１２が下方を向くようになっており、これにより、フロントフレーム部の装填口に設けられるシャッター部材が通過する切欠を下側に設ける必要がなくなる。【選択図】図１
2010191049.tif 000002
【特許請求の範囲】
【請求項１】
補給用のトナーが収容されると共に、トナーを装置本体に供給する開口部が設けられた円筒状の収容部材と、
前記収容部材の一端部に設けられ、前記収容部材に対して周方向に回転可能とされる把持部材と、
前記把持部を把持して前記収容部材を装置本体に装填させると、前記開口部が下方へ向くように前記収容部材を周方向へ回転させる案内手段と、
を備えるトナーカートリッジ装填構造。
【請求項２】
前記案内手段は、
前記収容部材の外周面に設けられた突起部と、
前記収容部材が装置本体に装填されると前記突起部を案内して前記収容部材を回転させるガイド溝と、
を備えることを特徴とする請求項１に記載のトナーカートリッジ装填構造。
【請求項３】
前記ガイド溝は、装置本体に装填された前記収容部材の外周面の下端部と接する水平面より上側に配置される請求項２に記載のトナーカートリッジ装填構造。
【請求項４】
前記把持部材には、作業者が把持可能な把持位置と、把持できない非把持位置とを移動する把持部が設けられ、
前記把持部を把持位置に移動すると、前記収容部材と前記把持部材を相対回転可能とし、前記把持部を非把持位置に移動すると、前記収容部材と前記把持部材を相対回転不可能とする回転規制部材が設けられる請求項１〜３何れか１項に記載のトナーカートリッジ装填構造。
【請求項５】
請求項１〜４何れか１項に記載のトナーカートリッジ装填構造と、
前記トナーカートリッジ装填構造を支持すると共に、前記トナーカートリッジ装填構造に設けられた収容部材が装填される装填口を備える支持部材と、
を備え、
前記収容部材に備えられた開口部を開閉するシャッター部材が通過する切欠が前記装填口の斜め上方又は上方に設けられる画像形成装置。
【発明の詳細な説明】
【技術分野】
【０００１】
本発明は、トナーカートリッジ装填構造及び画像形成装置に関する。
【背景技術】
【０００２】
特許文献１には、補給用トナーを収容するトナーカートリッジについて記載されている。
【０００３】
詳細には、このトナーカートリッジには、トナーを排出する排出口と、排出口を開放・閉止する蓋体が設けられており、作業者がトナーカートリッジを装置本体に装着後、作業者がトナーカートリッジを回転させることで、蓋体が可動し排出口が開放されるようになっている。
【特許文献１】特開平９−１０６１６５号公報
【発明の開示】
【発明が解決しようとする課題】
【０００４】
本発明は、トナーカートリッジ装填構造を支持する支持部材の剛性を高めることが課題である。
【課題を解決するための手段】
【０００５】
本発明の請求項１に係るトナーカートリッジ装填構造は、補給用のトナーが収容されると共に、トナーを装置本体に供給する開口部が設けられた円筒状の収容部材と、前記収容部材の一端部に設けられ、前記収容部材に対して周方向に回転可能とされる把持部材と、前記把持部を把持して前記収容部材を装置本体に装填させると、前記開口部が下方へ向くように前記収容部材を周方向へ回転させる案内手段と、を備えることを特徴とする。
【０００６】
本発明の請求項２に係るトナーカートリッジ装填構造は、請求項１に記載において、前記案内手段は、前記収容部材の外周面に設けられた突起部と、前記収容部材が装置本体に装填されると前記突起部を案内して前記収容部材を回転させるガイド溝と、を備えることを特徴とする。
【０００７】
本発明の請求項３に係るトナーカートリッジ装填構造は、請求項２に記載において、前記ガイド溝は、装置本体に装填された前記収容部材の外周面の下端部と接する水平面より上側に配置されることを特徴とする。
【０００８】
本発明の請求項４に係るトナーカートリッジ装填構造は、請求項１〜３何れか１項に記載において、前記把持部材には、作業者が把持可能な把持位置と、把持できない非把持位置とを移動する把持部が設けられ、前記把持部を把持位置に移動すると、前記収容部材と前記把持部材を相対回転可能とし、前記把持部を非把持位置に移動すると、前記収容部材と前記把持部材を相対回転不可能とする回転規制部材が設けられることを特徴とする。
【０００９】
本発明の請求項５に係る画像形成装置は、請求項１〜４何れか１項に記載のトナーカートリッジ装填構造と、前記トナーカートリッジ装填構造を支持すると共に、前記トナーカートリッジ装填構造に設けられた収容部材が装填される装填口を備える支持部材と、を備え、前記収容部材に備えられた開口部を開閉するシャッター部材が通過する切欠が前記装填口の斜め上方又は上方に設けられることを特徴とする。
【発明の効果】
【００１０】
本発明の請求項１の構成によれば、本構成を有さない場合と比して、トナーカートリッジ装填構造を支持する支持部材の剛性を高めることができる。
【００１１】
本発明の請求項２の構成によれば、本構成を有さない場合と比して、簡易な構成で収容部材を回転させることができる。
【００１２】
本発明の請求項３の構成によれば、本構成を有さない場合と比して、トナーカートリッジ装填構造を支持する支持部材の剛性を高めることができる。
【００１３】
本発明の請求項４の構成によれば、本構成を有しない場合と比して、本構成を有さない場合と比して、収容部材の装置本体への装填作業性を向上させることができる。
【００１４】
本発明の請求項５の構成によれば、本構成を有しない場合と比して、支持部材の剛性を確保した上で、装置本体を小型化することができる。
【発明を実施するための最良の形態】
【００１５】
本発明の実施形態に係る交換ユニットの一例が採用された画像形成装置を図１〜図９に従って説明する。
【００１６】
（全体構成）
図９に示されるように、画像形成装置１０の内部には、画像処理装置（図示省略）が設けられている。画像処理装置は、パーソナルコンピュータ等から送られてくる画像データに画像処理を施すようになっている。
【００１７】
画像形成装置１０内部の上方には、イエロー（Ｙ）、マゼンタ（Ｍ）、シアン（Ｃ）、ブラック（Ｋ）の各トナーを収容するトナーカートリッジ１１Ｙ、１１Ｍ、１１Ｃ、１１Ｋが交換可能に設けられている。なお、以後の説明では、イエロー、マゼンタ、シアン、ブラック（黒）の各色に対応する部材の符号にＹ、Ｍ、Ｃ、Ｋを付与して区別する。
【００１８】
さらに、トナーカートリッジ１１Ｙ、１１Ｍ、１１Ｃ、１１Ｋには、それぞれトナー供給路（図示省略）の一端が接続されている。また、トナーカートリッジ１１Ｙ、１１Ｍ、１１Ｃ、１１Ｋは、交換可能とされており、空のトナーカートリッジ１１Ｙ、１１Ｍ、１１Ｃ、１１Ｋを取り出して、新しいトナーカートリッジ１１Ｙ、１１Ｍ、１１Ｃ、１１Ｋを装填できるようになっている。なお、トナーカートリッジ装填構造１００については、詳細を後述する。
【００１９】
さらに、画像形成装置１０内部の中央には、Ｙ、Ｍ、Ｃ、Ｋの現像剤に対応する４つの画像形成ユニット１２（１２Ｙ、１２Ｍ、１２Ｃ、１２Ｋ）が、右斜め下方に向けて互いに一部を重ねた状態で配置されている（図７参照）。
【００２０】
この現像剤は、非磁性タイプのトナーと、磁性を有するキャリアとが混合されたものである。ここで、トナー供給路の他端が、４つの画像形成ユニット１２Ｙ、１２Ｍ、１２Ｃ、１２Ｋにそれぞれ接続されており、各色のトナーが各画像形成ユニット１２に供給されるようになっている。
【００２１】
一方、各画像形成ユニット１２Ｙ、１２Ｍ、１２Ｃ、１２Ｋの上方には、転写部１４が設けられている。転写部１４は、中間転写体の一例としての中間転写ベルト１６と、中間転写ベルト１６の内側に配置され、各画像形成ユニット１２Ｙ、１２Ｍ、１２Ｃ、１２Ｋの各トナー画像を中間転写ベルト１６に多重転写させる４つの一次転写部材としての一次転写ロール１８Ｙ、１８Ｍ、１８Ｃ、１８Ｋと、中間転写ベルト１６上で重ねられたトナー画像を、記録媒体としてのシート部材Ｐに転写させる二次転写ロール２０とを有している。
【００２２】
中間転写ベルト１６は、図示しないモータで駆動される駆動ロール２２と、中間転写ベルト１６の張力を調整するテンションロール２４と、二次転写ロール２０と対向配置されたバックアップロール２６との間に巻き掛けられており、駆動ロール２２により、矢印Ｘ方向（反時計回り方向）に循環駆動されるようになっている。
【００２３】
一次転写ロール１８Ｙ、１８Ｍ、１８Ｃ、１８Ｋは、中間転写ベルト１６を挟んでそれぞれの画像形成ユニット１２Ｙ、１２Ｍ、１２Ｃ、１２Ｋに設けられた像保持体としての感光体２８（２８Ｙ、２８Ｍ、２８Ｃ、２８Ｋ）と対向配置されている。また、一次転写ロール１８Ｙ、１８Ｍ、１８Ｃ、１８Ｋは、給電ユニット（図示省略）によって、トナー極性とは逆極性の転写バイアス電圧が印加されるようになっている。なお、二次転写ロール２０も、給電ユニットによって、トナー極性とは逆極性の転写バイアス電圧が付与されるようになっている。
【００２４】
また、中間転写ベルト１６の駆動ロール２２が設けられている位置の外周面には、クリーニング装置３０が設けられている。クリーニング装置３０は、クリーニングブラシ３２及びクリーニングブレード３４を備えており、クリーニングブラシ３２及びクリーニングブレード３４によって、中間転写ベルト１６上の残留トナーや紙粉等を除去するようになっている。
【００２５】
さらに、画像形成装置１０の内部には、画像形成装置１０の各部の駆動制御を行う制御ユニット３６が設けられている。また、画像形成ユニット１２の下側には、帯電された感光体２８の表面に各色に対応した露光光Ｌ（ＬＹ、ＬＭ、ＬＣ、ＬＫ）を照射して静電潜像を形成する露光ユニット４０が設けられている。
【００２６】
また、露光ユニット４０の内部には、各露光光Ｌを主走査方向に走査するためのｆ−θレンズ（図示省略）及びポリゴンミラー４２が設けられている。さらに、４本の露光光ＬＹ、ＬＭ、ＬＣ、ＬＫを、各画像形成ユニット１２Ｙ、１２Ｍ、１２Ｃ、１２Ｋの感光体２８に向けて出射するためのガラス窓４４Ｙ、４４Ｍ、４４Ｃ、４４Ｋが設けられている。
【００２７】
一方、露光ユニット４０の下側には、シート部材Ｐが収納された給紙カセット４６が配置されている。また、給紙カセット４６の端部から鉛直方向上方には、シート部材Ｐを搬送する用紙搬送路５０が設けられている。
【００２８】
用紙搬送路５０には、シート部材Ｐを給紙カセット４６から送り出す給紙ロール４８と、シート部材Ｐを１枚ずつ給紙させる用紙分離搬送用のロール対５２と、中間転写ベルト１６上の画像の移動タイミングとシート部材Ｐの搬送タイミングを合わせる用紙先端位置合わせロール５４とが設けられている。
【００２９】
また、二次転写ロール２０の上方には、定着装置６０が設けられている。定着装置６０は、加熱された加熱ロール６２と、この加熱ロール６２に圧接された加圧ロール６４とを備えている。ここで、二次転写ロール２０によって各色のトナー画像が転写されたシート部材Ｐは、加熱ロール６２と加圧ロール６４との圧接部で熱及び圧力により定着され、シート部材Ｐの搬送方向下流側に設けられた排紙ロール６６によって、画像形成装置１０の上部に設けられた排出トレイ６８に排出されるようになっている。また、トナー画像の二次転写工程が終了した中間転写ベルト１６の表面は、クリーニング装置３０によって残留トナーや紙粉等が除去される。
【００３０】
次に、画像形成ユニット１２について説明する。
【００３１】
ここでは、一例として、画像形成ユニット１２Ｍについて説明する。なお、他の各色に対応した画像形成ユニット１２Ｙ、１２Ｃ、１２Ｋは、画像形成ユニット１２Ｍと同様の構造であるため、説明を省略する。また、画像形成ユニット１２の各構成部材については、符号Ｍを省略して表示する。
【００３２】
図８に示されるように、画像形成ユニット１２は、矢印Ａ（時計回り）方向に回転駆動される感光体２８を備えている。
【００３３】
さらに、画像形成ユニット１２には、感光体２８の表面に接触して感光体２８を一様に帯電する帯電部材としての帯電ロール７２と、前述の露光光Ｌにより感光体２８上に形成された静電潜像を各色の現像剤（トナー）で現像する現像部７０と、転写後の感光体２８の表面に光を照射して除電を行う除電装置の一例としてのイレーズランプ７４と、除電後の感光体２８の表面を清掃する感光体清掃部材としてのクリーニングユニット７６とが設けられている。帯電ロール７２、現像部７０、イレーズランプ７４、及びクリーニングユニット７６は、感光体２８の表面と対向して、感光体２８の回転方向上流側から下流側へ向けてこの順番で配置されている。
【００３４】
帯電ロール７２は、画像形成ユニット１２の筐体に回転可能に設けられ、帯電ロール７２の外周面で感光体２８と反対側には、帯電ロール７２の表面に付着したトナー等を取り除くクリーニングロール７９が回転可能に設けられている。
【００３５】
現像部７０は、画像形成ユニット１２の左端部に配置され、現像剤Ｇが充填された現像剤収容室８０と、現像剤収容室８０と感光体２８の間に設けられた現像室８２と、現像剤収容室８０及び現像室８２の下側に設けられ、現像剤収容室８０から供給された現像剤Ｇを攪拌（混合）して現像室８２に搬送する攪拌搬送室８４とを有している。
【００３６】
現像剤収容室８０の上部には、矩形状の第１開口部８３が形成されている。そして、第１開口部８３を介して外部から現像剤Ｇが流入され充填されている。
【００３７】
さらに、現像剤収容室８０の下部には、矩形状の第２開口部８７が形成されている。ここで、現像剤収容室８０と攪拌搬送室８４は、第２開口部８７を介して連通しており、現像剤収容室８０に充填され現像剤収容室８０内を流下した現像剤Ｇは、第２開口部８７を通って攪拌搬送室８４に流入するようになっている。
【００３８】
ここで、第２開口部８７は、予め、封止部材８５Ｂで封止されており、画像形成装置１０への画像形成ユニット１２の取付け前に、封止部材８５Ｂが画像形成ユニット１２の一方の側面から引き抜かれることで、開放されるようになっている。
【００３９】
攪拌搬送室８４は、仕切壁９３で仕切られ、第１攪拌路８４Ａと第２攪拌路８４Ｂの２条の攪拌路が設けられている。仕切壁９３の両端部位置には、開口された連通口が（図示省略）が形成されており、連通口によって、第１攪拌路８４Ａと第２攪拌路８４Ｂが連通している。
【００４０】
第２攪拌路８４Ｂの上面は開口となっており、上方に現像ロール７８が配置され、現像室８２と連通している。
【００４１】
第１攪拌路８４Ａの一端（図８の紙面奥側）は、トナー供給路が接続されるトナー供給口が形成されている。これにより、トナーカートリッジ１１（図９参照）のトナーが、トナー供給路を流下して、画像形成ユニット１２に供給されるようになっている。
【００４２】
また、第１攪拌路８４Ａには、第１攪拌搬送部材９１が配置されている。同様にして、第２攪拌路８４Ｂには、第２攪拌搬送部材９２が配置されている。第１攪拌搬送部材９１が矢印Ｃ方向、第２攪拌搬送部材９２が矢印Ｄ方向（矢印Ｃ、Ｄは異なる方向）にそれぞれ回転することで、攪拌搬送室８４内の現像剤Ｇは、供給されたトナーと混合され、それぞれ第１攪拌路８４Ａ内、及び第２攪拌路８４Ｂ内を攪拌混合されながら搬送されて、第１攪拌路８４Ａと第２攪拌路８４Ｂとの間を循環するようになっている。
【００４３】
さらに、現像室８２には、感光体２８の長手方向を軸方向とし、矢印Ｂ方向（反時計方向）に回転し、現像時に現像剤Ｇ中のトナーを感光体２８の潜像に向けて移動させ、トナー画像を形成させる現像ロール７８が設けられている。さらに、現像室８２は、層規制部材としての薄層形成ロール９７が設けられている。
【００４４】
次に、画像形成装置１０の画像形成工程について説明する。
【００４５】
図９に示すように、画像処理装置（図示省略）で画像処理が施された画像データは、さらにイエロー（Ｙ）、マゼンタ（Ｍ）、シアン（Ｃ）、ブラック（Ｋ）の４色の色材階調データに変換され、露光ユニット４０に順次出力される。露光ユニット４０では、各色の色材階調データに応じて各露光光Ｌを出射して、各感光体２８に走査露光を行い、静電潜像が形成される。
【００４６】
感光体２８上に形成された静電潜像は、現像部７０（図８参照）によって、各色のトナー画像として顕在化され現像が行われる。そして、各画像形成ユニット１２Ｙ、１２Ｍ、１２Ｃ、１２Ｋの感光体２８上に順次形成された各色のトナー画像は、４つの一次転写ロール１８Ｙ、１８Ｍ、１８Ｃ、１８Ｋによって中間転写ベルト１６上に順次多重転写される。
【００４７】
中間転写ベルト１６上に多重転写された各色のトナー画像は、二次転写ロール２０によって、搬送されてきたシート部材Ｐ上に二次転写される。そして、シート部材Ｐ上の各色のトナー画像が定着装置６０で定着され、定着後のシート部材Ｐは、排出トレイ６８に排出される。
【００４８】
トナー画像の転写工程が終了した後の感光体２８の表面は、クリーニングユニット７６によって残留トナーや紙粉等が除去される。また、中間転写ベルト１６上の残留トナーや紙粉等が、クリーニング装置３０で除去される。
【００４９】
（要部構成）
次に、トナーカートリッジ１１Ｙ、１１Ｍ、１１Ｃ、１１Ｋを装填するトナーカートリッジ装填構造１００Ｍについて説明する。なお、他の各色に対応したトナーカートリッジ装填構造１００Ｙ、１００Ｃ、１００Ｋは、トナーカートリッジ装填構造１００Ｍと同様の構造であるため、説明を省略する。また、トナーカートリッジ装填構造１００Ｍの各構成部材については、符号Ｍを省略して表示する。
【００５０】
図２に示されるように、トナーカートリッジ装填構造１００に備えられたトナーカートリッジ１１には、補給用のトナーが収容されると共に、トナーを装置本体のトナー供給路に供給する開口部１１２が一端に形成された円筒状の収容部材１１０が設けられている。
【００５１】
さらに、収容部材１１０の開口部１１２を開閉するシャッター部材１１４が備えられ、収容部材１１０の他端には、収容部材１１０に対して周方向に回転可能とされる把持部材１１６が設けられている。詳細には、把持部材１１６には、周方向に沿って長穴状の案内穴１１６Ａが形成され、この案内穴１１６Ａ内を周方向に移動可能な、凸部１１０Ａが収容部材１１０の外表面に設けられている。この構成により、把持部材１１６は、収容部材１１０に対して周方向に回転可能とされている。なお、シャッター部材１１４は図示せぬ付勢部材に付勢され、通常時には、付勢部材によって付勢され、開口部１１２を閉止するようになっている。
【００５２】
さらに、図３（Ａ）（Ｂ）（Ｃ）に示されるように、把持部材１１６には、作業者が把持可能な把持位置（図３（Ｂ）参照）と、把持できない非把持位置（図３（Ａ）（Ｃ）参照）とを移動する環状の把持部１１８が設けられている。
【００５３】
詳細には、把持部１１８には、円柱状の軸１１８Ａが形成されており、軸１１８Ａが、把持部材１１６の本体部１２０に回転可能に支持されることで、把持部１１８が把持位置と非把持位置の間を回転移動可能となっている。
【００５４】
さらに、案内穴１１６Ａの両端部に配置された凸部１１０Ａの移動を禁止する円弧状のストッパー部材１２８が設けられている。また、ストッパー部材１２８は、把持部１１８の軸１１８Ａとリンク機構１２２で連結されている。そして、図３（Ａ）（Ｃ）に示されるように、把持部１１８を非把持位置に移動させると、ストッパー部材１２８は、リンク機構１２２より移動力が伝達され凸部１１０Ａの移動を禁止する移動禁止位置へ移動するようになっている。
【００５５】
これに対し、図３（Ｂ）に示されるように、把持部１１８を把持位置に移動させると、ストッパー部材１２８は、リンク機構１２２より移動力が伝達され凸部１１０Ａの移動を許可する移動許可位置へ移動するようになっている。
【００５６】
一方、図６に示されるように、トナーカートリッジ装填構造１００は、支持部材としてのフレーム部材１０２に支持されている。
【００５７】
詳細には、フレーム部材１０２には、トナーカートリッジ１１が装填される側である前側に配置された板状のフロントフレーム部１０４と後側に配置されたリアフレーム部１０６とを備えている。
【００５８】
そして、装置本体に装填される収容部材１１０を保持する円孔状の保持部材１０８が、その両端部をフロントフレーム部１０４とリアフレーム部１０６に固定されることで支持されている。
【００５９】
図２に示されるように、保持部材１０８に保持される収容部材１１０の一端側には、円柱状の突起部１２４が開口部１１２と反対側に形成され、保持部材１０８には、この突起部１２４を案内するガイド溝１２６が設けられている。そして、このガイド溝１２６は、矢印Ｄ方向から装填される収容部材１１０の周方向の位置を収容部材１１０に形成された突起部１２４を案内しながら規制するようになっている。
【００６０】
詳細には、図１（Ａ）（Ｂ）（Ｃ）、図４（Ａ）（Ｂ）（Ｃ）に示されるように、トナーカートリッジ１１を装置本体へ装填しようとすると、斜め上方を向いていた開口部１１２が装填完了後に下方へ向くように、ガイド溝１２６の形状は決められている。
【００６１】
この際に、収容部材１１０に形成された凸部１１０Ａは、案内穴１１６Ａの一端（図３（Ａ））から案内穴１１６Ａの他端（図３（Ｃ））へ移動するようになっている。
【００６２】
そして、図４（Ａ）（Ｂ）（Ｃ）に示されるように、このガイド溝１２６は、装置本体に装填された収容部材１１０の外周面の下端部と接する水平面（図４に示すＦ面）より上側に配置されるようになっている。
【００６３】
また、図５、図６に示されるように、保持部材１０８の  前側を支持するフロントフレーム部１０４には、カートジッリ１１が装填される装填口１３０が設けられ、装填口１３０には、突起部１２４が通過する切欠１３２と、開口部１１２を開閉するシャッター部材１１４が通過する切欠１３４が形成されている。
【００６４】
詳細には、図４（Ａ）に示されるように、切欠１３２と切欠１３４は、対向するように設けられ、装置本体に装填された収容部材１１０の外周面の下端部と接する水平面（図４に示すＦ面）より上側に配置されるようになっている。
【００６５】
（作用）
次に、新しいトナーカートリッジ１１を装置本体に装填する装填作業について説明する。
【００６６】
図３（Ａ）に示されるように、把持部１１８は非把持位置され、ストッパー部材１２８は案内穴１１６Ａの一端部に配置される凸部１１０Ａの移動を禁止する移動禁止位置に配置されている。      
【００６７】
図３（Ｂ）に示されるように、作業者は把持部１１８を非把持位置から把持位置へ移動させて把持する。把持部１１８を非把持位置から把持位置へ移動させると、リンク機構１２２が可動してストッパー部材１２８を移動禁止位置から移動許可位置へ移動させる。これにより、収容部材１１０は、把持部材１１６に対して周方向に回転可能となる。
【００６８】
図１（Ａ）、図４（Ａ）、図５に示されるように、把持部１１８を把持した状態で、トナーカートリッジ１１の一端をフロントフレーム部１０４に形成された装填口１３０へ装填させる。
【００６９】
把持部１１８を水平状態に保ちながら装填口１３０に向けて収容部材１１０をアプローチさせると、収容部材１１０に備えられた突起部１２４及びシャッター部材１１４が切欠１３２及び切欠１３４を通過する。
【００７０】
図１（Ｂ）、図４（Ｂ）に示されるように、把持部１１８を水平状態に保ちながら収容部材１１０を押し込むと、切欠１３２を通過した突起部１２４がガイド溝１２６に案内され、収容部材１１０は周方向に回転する。
【００７１】
図１（Ｃ）、図４（Ｃ）に示されるように、収容部材１１０が周方向に回転することで、斜め上方に向いていた開口部１１２及びシャッター部材１１４も回転し、収容部材１１０を押し切ると（装填が終了すると）、開口部１１２及びシャッター部材１１４は下方を向いて停止する。
【００７２】
回転途中でシャッター部材１１４は、図示せぬ開放部材と当り、シャッター部材１１４は、付勢部材の付勢力に対向して移動して下方を向く開口部１１２を開放させる。これより、収容部材１１０に収容されたトナーがトナー供給路へ供給可能となる。
【００７３】
以上説明したように、収容部材１１０を回転させることで開口部１１２を下方に向くようになっており、これにより、フロントフレーム部１０４の装填口１３０の切欠１３２及び切欠１３４は、装置本体に装填された収容部材１１０の外周面の下端部と接する水平面（図４に示すＦ面）より上側に配置される。つまり、切欠を、収容部材１１０の外周面の下端部と接する水平面（Ｆ面）より下側に配置する必要がない。
【００７４】
そして、切欠を下側に設ける必要がないため、フロントフレーム部１０４の剛性が高くなる。さらには、トナーカートリッジ装填構造１００を下方に配置することが可能となり、画像形成装置１０の高さが下がる。
【図面の簡単な説明】
【００７５】
【図１】（Ａ）（Ｂ）（Ｃ）本発明の実施形態に係るトナーカートリッジ装填構造を示し、トナーカートリッジが装填される状況を時系列で示した斜視図である。
【図２】本発明の実施形態に係るトナーカートリッジ装填構造を示した拡大斜視図である。
【図３】（Ａ）（Ｂ）（Ｃ）本発明の実施形態に係るトナーカートリッジ装填構造に採用された把持部材及び把持部等を示した斜視図である。
【図４】（Ａ）（Ｂ）（Ｃ）本発明の実施形態に係るトナーカートリッジ装填構造を示し、トナーカートリッジが装填される状況を時系列で示した正面図である。
【図５】本発明の実施形態に係るトナーカートリッジ装填構造及びトナーカートリッジ装填構造を支持するフレーム部材を示した斜視図である。
【図６】本発明の実施形態に係るトナーカートリッジ装填構造及びトナーカートリッジ装填構造を支持するフレーム部材を示した斜視図である。
【図７】本発明の実施形態に係るトナーカートリッジ装填構造が採用された画像形成装置の画像形成ユニットを示した正面図である。
【図８】本発明の実施形態に係るトナーカートリッジ装填構造が採用された画像形成装置の画像形成ユニットを示した正面図である。
【図９】本発明の実施形態に係るトナーカートリッジ装填構造が採用された画像形成装置を示した概略構成図である。
【符号の説明】
【００７６】
１０          画像形成装置
１００        トナーカートリッジ装填構造
１０２        フレーム部材（支持部材）
１０４        フロントフレーム部（支持部材）
１０６        リアフレーム部（支持部材）
１１０        収容部材
１１２        開口部
１１４        シャッター部材
１１６        把持部材
１１８        把持部
１２２        リンク機構(回転規制部材）
１２４        突起部
１２６        ガイド溝
１２８        ストッパー部材（回転規制部材）
１３０        装填口
１３４        切欠
【図１】
2010191049.tif 000003
【図２】
2010191049.tif 000004
【図３】
2010191049.tif 000005
【図４】
2010191049.tif 000006
【図５】
2010191049.tif 000007
【図６】
2010191049.tif 000008
【図７】
2010191049.tif 000009
【図８】
2010191049.tif 000010
【図９】
2010191049.tif 000011